(57)【要約】【課題】Ｅｔｈｅｒｎｅｔ網上でＳＤＨの機能を利用する。【解決手段】ＳＤＨ／ＩＰ装置がＳＤＨ信号のＯＨヘッドバイト（例えば、Ａ１、Ａ２バイト）の一部に信号の送信元および送信先の位置情報を搭載し、このＳＤＨ信号をＥｔｈｅｒｎｅｔフレームにカプセル化してＥｔｈｅｒｎｅｔ網に転送し、ＳＤＨ／ＩＰ装置を複数収容するクロスコネクト装置がＳＤＨ信号がＥｔｈｅｒｎｅｔフレームにカプセル化された信号を受信したときには送信元および送信先の位置情報に基づきクロスコネクト処理を行う。この際、ＳＤＨ信号をＳＴＭ−０単位の信号に分割し、ＳＴＭ−０信号毎に、送信元および送信先の位置情報を搭載した状態でＥｔｈｅｒｎｅｔフレームにカプセル化する。また、送信元および送信先の位置情報に加え、クロスコネクト処理の変更またはＳＴＭ−０信号の状態を通知する情報および送信元の時刻情報を搭載する。【選択図】図５
2008271206.tif 000002
【特許請求の範囲】
【請求項１】
ＳＤＨ信号をＥｔｈｅｒｎｅｔ網を介して送受信するＳＤＨ／ＩＰ装置を含む通信システムにおいて、
前記ＳＤＨ／ＩＰ装置を複数収容するクロスコネクト装置が設けられ、
前記ＳＤＨ／ＩＰ装置は、
ＳＤＨ信号のオーバヘッドバイトの一部に信号の送信元および送信先の位置情報を搭載する手段と、
このＳＤＨ信号をＥｔｈｅｒｎｅｔフレームにカプセル化してＥｔｈｅｒｎｅｔ網に転送する手段と
を備え、
前記クロスコネクト装置は、前記ＳＤＨ信号がＥｔｈｅｒｎｅｔフレームにカプセル化された信号を受信したときには前記送信元および送信先の位置情報に基づきクロスコネクト処理を行う手段を備えた
ことを特徴とする通信システム。
【請求項２】
前記ＳＤＨ信号をＳＴＭ−０単位の信号に分割し、ＳＴＭ−０信号毎に、送信元および送信先の位置情報を搭載した状態でＥｔｈｅｒｎｅｔフレームにカプセル化する手段を備えた請求項１記載の通信システム。
【請求項３】
前記送信元および送信先の位置情報に加え、前記クロスコネクト処理の変更または前記ＳＴＭ−０信号の状態を通知する情報および送信元の時刻情報を搭載する手段を備えた請求項１または２記載の通信システム。
【請求項４】
前記オーバヘッドバイトは、Ａ１およびＡ２バイトである請求項１ないし３のいずれかに記載の通信システム。
【請求項５】
ＳＤＨ信号をＥｔｈｅｒｎｅｔ網を介して送受信する通信システムに適用されるＳＤＨ／ＩＰ装置において、
ＳＤＨ信号のオーバヘッドバイトの一部に信号の送信元および送信先の位置情報を搭載する手段と、
このＳＤＨ信号をＥｔｈｅｒｎｅｔフレームにカプセル化してＥｔｈｅｒｎｅｔ網に転送する手段と
を備えたことを特徴とするＳＤＨ／ＩＰ装置。
【請求項６】
前記ＳＤＨ信号をＳＴＭ−０単位の信号に分割し、ＳＴＭ−０信号毎に、送信元および送信先の位置情報を搭載した状態でＥｔｈｅｒｎｅｔフレームにカプセル化する手段を備えた請求項５記載のＳＤＨ／ＩＰ装置。
【請求項７】
前記送信元および送信先の位置情報に加え、前記クロスコネクト処理の変更または前記ＳＴＭ−０信号の状態を通知する情報および送信元の時刻情報を搭載する手段を備えた請求項５または６記載のＳＤＨ／ＩＰ装置。
【請求項８】
前記オーバヘッドバイトは、Ａ１およびＡ２バイトである請求項５ないし７のいずれかに記載のＳＤＨ／ＩＰ装置。
【請求項９】
ＳＤＨ信号のオーバヘッドバイトの一部に信号の送信元および送信先の位置情報を搭載し、このＳＤＨ信号をＥｔｈｅｒｎｅｔフレームにカプセル化してＥｔｈｅｒｎｅｔ網に転送するＳＤＨ／ＩＰ装置を複数収容するクロスコネクト装置であって、
前記ＳＤＨ信号がＥｔｈｅｒｎｅｔフレームにカプセル化された信号を受信したときには前記送信元および送信先の位置情報に基づきクロスコネクト処理を行う手段を備えた
ことを特徴とするクロスコネクト装置。
【請求項１０】
ＳＤＨ信号をＥｔｈｅｒｎｅｔ網を介して送受信する通信方法において、
ＳＤＨ／ＩＰ装置が、ＳＤＨ信号のオーバヘッドバイトの一部に信号の送信元および送信先の位置情報を搭載し、このＳＤＨ信号をＥｔｈｅｒｎｅｔフレームにカプセル化してＥｔｈｅｒｎｅｔ網に転送し、
前記ＳＤＨ／ＩＰ装置を複数収容するクロスコネクト装置が、前記ＳＤＨ信号がＥｔｈｅｒｎｅｔフレームにカプセル化された信号を受信したときには前記送信元および送信先の位置情報に基づきクロスコネクト処理を行う
ことを特徴とする通信方法。
【請求項１１】
前記ＳＤＨ信号をＳＴＭ−０単位の信号に分割し、ＳＴＭ−０信号毎に、送信元および送信先の位置情報を搭載した状態でＥｔｈｅｒｎｅｔフレームにカプセル化する請求項１０記載の通信方法。
【請求項１２】
前記送信元および送信先の位置情報に加え、前記クロスコネクト処理の変更または前記ＳＴＭ−０信号の状態を通知する情報および送信元の時刻情報を搭載する請求項１０または１１記載の通信方法。
【請求項１３】
前記オーバヘッドバイトは、Ａ１およびＡ２バイトである請求項１０ないし１２のいずれかに記載の通信方法。
【請求項１４】
汎用の情報処理装置にインストールすることにより、その汎用の情報処理装置に、請求項５ないし８のいずれかに記載のＳＤＨ／ＩＰ装置の機能に相応する機能を実現させるプログラム。
【請求項１５】
汎用の情報処理装置にインストールすることにより、その汎用の情報処理装置に、請求項９記載のクロスコネクト装置の機能に相応する機能を実現させるプログラム。
【請求項１６】
汎用の情報処理装置にインストールすることにより、その汎用の情報処理装置に、請求項１０ないし１３のいずれかに記載の通信方法の手順に相応する手順を実行させるプログラム。
【発明の詳細な説明】
【技術分野】
【０００１】
本発明は、同期網とＥｔｈｅｒｎｅｔ網との間の相互接続に利用する。特に、Ｅｔｈｅｒｎｅｔ網内におけるＳＤＨ信号のクロスコネクト処理に関する。
【背景技術】
【０００２】
通信網のＥｔｈｅｒｎｅｔ化が進む中で、ＳＤＨ信号をどのようにＥｔｈｅｒｎｅｔ網に対応させていくかの検討が今後ますます重要視されると予想される。
【０００３】
例えば、ＳＤＨ信号をＥｔｈｅｒｎｅｔ網に対応させた一例として、Ｅｔｈｅｒｎｅｔ網上においても、ＳＤＨ信号をそのままトランスペアレント伝送するＰｓｅｕｄｏＷｉｒｅ通信の方法があるが、この方法は、「ＳＤＨの信号をそのまま通す」というだけであり、ＳＤＨ装置で実現された豊富な機能は利用できない。
【０００４】
【特許文献１】特開２０００−４９７９１号公報
【特許文献２】特開２００３−１３４０７４号公報
【特許文献３】特開２００４−３２０６８３号公報
【特許文献４】特開２００５−８６６１９号公報
【特許文献５】特表２００５−５０５９８７号公報
【発明の開示】
【発明が解決しようとする課題】
【０００５】
Ｅｔｈｅｒｎｅｔ網は非同期ネットワークであり、同期信号であるＳＤＨ信号を伝送するために、ＰｓｅｕｄｏＷｉｒｅ通信という方法により、１対１の通信を実現している。しかし、この１対１の通信は透過型であり、ＳＤＨの特徴であるＨｉｅｒａｒｃｈｙに基づいた多重化は考慮されておらず、Ｅｔｈｅｒｎｅｔ上でのＤｉｇｉｔａｌＣｒｏｓｓ−Ｃｏｎｎｅｃｔは不可能である。
【０００６】
本発明は、このような背景の下に行われたものであって、Ｅｔｈｅｒｎｅｔ網上でＳＤＨの機能を利用できるＥｔｈｅｒｎｅｔ網におけるＳＤＨ／ＩＰ装置およびクロスコネクト装置を提供することを目的とする。
【課題を解決するための手段】
【０００７】
本発明は、ＳＤＨ信号をＥｔｈｅｒｎｅｔ網を介して送受信するＳＤＨ／ＩＰ装置を含む通信システムであって、本発明の特徴とするところは、前記ＳＤＨ／ＩＰ装置を複数収容するクロスコネクト装置が設けられ、前記ＳＤＨ／ＩＰ装置は、ＳＤＨ信号のオーバヘッドバイトの一部に信号の送信元および送信先の位置情報を搭載する手段と、このＳＤＨ信号をＥｔｈｅｒｎｅｔフレームにカプセル化してＥｔｈｅｒｎｅｔ網に転送する手段とを備え、前記クロスコネクト装置は、前記ＳＤＨ信号がＥｔｈｅｒｎｅｔフレームにカプセル化された信号を受信したときには前記送信元および送信先の位置情報に基づきクロスコネクト処理を行う手段を備えたところにある。
【０００８】
このように、本発明では、ＳＤＨ信号にＭｕｌｔｉＦｒａｍｅで位置情報を付与することにより、Ｅｔｈｅｒｎｅｔ網上でＳＤＨ信号のＰｓｅｕｄｏＷｉｒｅ通信を行いながら、Ｅｔｈｅｒｎｅｔ網上で、ＤｉｇｉｔａｌＣｒｏｓｓ−Ｃｏｎｎｅｃｔを実現する。これにより、通信網のＥｔｈｅｒｎｅｔ化が進む中、ＳＤＨ信号においても、Ｅｔｈｅｒｎｅｔ網上でＳＤＨ装置の機能を実現することができる。
【０００９】
また、前記ＳＤＨ信号をＳＴＭ−０単位の信号に分割し、ＳＴＭ−０信号毎に、送信元および送信先の位置情報を搭載した状態でＥｔｈｅｒｎｅｔフレームにカプセル化する手段を備えることができる。
【００１０】
これにより、ＳＤＨ信号をＥｔｈｅｒｎｅｔ網での送信単位であるＳＴＭ−０によってＥｔｈｅｒｎｅｔ網内を伝送させることができるため、ＳＤＨのＨｉｅｒａｒｃｈｙに準じた伝送を行うことができる。
【００１１】
また、前記送信元および送信先の位置情報に加え、前記クロスコネクト処理の変更または前記ＳＴＭ−０信号の状態を通知する情報および送信元の時刻情報を搭載する手段を備えることができる。
【００１２】
これによれば、クロスコネクト処理の際に、クロスコネクト処理の変更を指示することができる。これにより、多様なクロスコネクト処理を実行することができる。また、ＳＴＭ−０信号の状態を通知することにより、例えば、該当するＳＴＭ−０信号のペイロード（ＤＡＴＡ収容部分）に、ＳＴＭ−Ｎ信号に整形した際に有効となるデータが収容されているか否かの状態を通知することができる。これにより信号（回線）の運用状態（“Ｉｎ  Ｓｅｒｖｉｅｃ”または“Ｏｕｔ  ｏｆ  Ｓｅｒｖｉｃｅ”）をＳＤＨ／ＩＰ装置間で認識することができる。その他には、冗長構成を構築した際の信号（回線）の運用状態（運用中／待機中）をＳＤＨ／ＩＰ装置間で認識することができる。また、送信元の時刻情報に基づき、送信元における送信順序を明確化したり、送信遅延を把握することができる。また、ＩＥＥＥ１５８８のＰＴＰを使用することができるため、非同期網でありながら各装置の同期を高い精度で実現できる。
【００１３】
例えば、前記オーバヘッドバイトは、Ａ１およびＡ２バイトである。このように、ＳＤＨ信号で、配列位置および内容が固定的に定まっているオーバヘッドバイトであるＡ１、Ａ２バイトを使用することにより、送信部において、Ａ１、Ａ２バイトの値を正しく元に戻すことが可能となり、特別な情報伝達の容量を減少することができる。また、Ａ１、Ａ２バイトはＳＤＨフレーム上先頭バイトに位置するため、ハードウェアでの機能を実現する場合にも全てのフレームを取り込むこと無しにＭｕｌｔｉＦｒａｍｅの高速検出が可能となる。
【００１４】
また、本発明をＳＤＨ／ＩＰ装置としての観点から観ることもできる。すなわち、本発明は、ＳＤＨ信号をＥｔｈｅｒｎｅｔ網を介して送受信する通信システムに適用されるＳＤＨ／ＩＰ装置であって、本発明の特徴とするところは、ＳＤＨ信号のオーバヘッドバイトの一部に信号の送信元および送信先の位置情報を搭載する手段と、このＳＤＨ信号をＥｔｈｅｒｎｅｔフレームにカプセル化してＥｔｈｅｒｎｅｔ網に転送する手段とを備えたところにある。
【００１５】
また、前記ＳＤＨ信号をカプセル化単位のＳＴＭ−０単位の信号に分割し、ＳＴＭ−０信号毎に、送信元および送信先の位置情報を搭載した状態でＥｔｈｅｒｎｅｔフレームにカプセル化する手段を備えることができる。
【００１６】
また、前記送信元および送信先の位置情報に加え、前記クロスコネクト処理の変更または前記ＳＴＭ−０信号の状態を通知する情報および送信元の時刻情報を搭載する手段を備えることができる。
【００１７】
例えば、前記オーバヘッドバイトは、Ａ１およびＡ２バイトである。
【００１８】
また、本発明をクロスコネクト装置としての観点から観ることもできる。すなわち、本発明は、ＳＤＨ信号のオーバヘッドバイトの一部に信号の送信元および送信先の位置情報を搭載し、このＳＤＨ信号をＥｔｈｅｒｎｅｔフレームにカプセル化してＥｔｈｅｒｎｅｔ網に転送するＳＤＨ／ＩＰ装置を複数収容するクロスコネクト装置であって、本発明の特徴とするところは、前記ＳＤＨ信号がＥｔｈｅｒｎｅｔフレームにカプセル化された信号を受信したときには前記送信元および送信先の位置情報に基づきクロスコネクト処理を行う手段を備えたところにある。
【００１９】
また、本発明を通信方法としての観点から観ることもできる。すなわち、本発明は、ＳＤＨ信号をＥｔｈｅｒｎｅｔ網を介して送受信する通信方法であって、本発明の特徴とするところは、ＳＤＨ／ＩＰ装置が、ＳＤＨ信号のオーバヘッドバイトの一部に信号の送信元および送信先の位置情報を搭載し、このＳＤＨ信号をＥｔｈｅｒｎｅｔフレームにカプセル化してＥｔｈｅｒｎｅｔ網に転送し、前記ＳＤＨ／ＩＰ装置を複数収容するクロスコネクト装置が、前記ＳＤＨ信号がＥｔｈｅｒｎｅｔフレームにカプセル化された信号を受信したときには前記送信元および送信先の位置情報に基づきクロスコネクト処理を行うところにある。
【００２０】
また、前記ＳＤＨ信号をカプセル化単位のＳＴＭ−０単位の信号に分割し、ＳＴＭ−０信号毎に、送信元および送信先の位置情報を搭載した状態でＥｔｈｅｒｎｅｔフレームにカプセル化することができる。
【００２１】
また、前記送信元および送信先の位置情報に加え、前記クロスコネクト処理の変更または前記ＳＴＭ−０信号の状態を通知する情報および送信元の時刻情報を搭載することができる。
【００２２】
例えば、前記オーバヘッドバイトは、Ａ１およびＡ２バイトである。
【００２３】
また、本発明をプログラムとしての観点から観ることもできる。すなわち、本発明は、汎用の情報処理装置にインストールすることにより、その汎用の情報処理装置に、本発明のＳＤＨ／ＩＰ装置の機能に相応する機能を実現させるプログラムである。あるいは、本発明は、汎用の情報処理装置にインストールすることにより、その汎用の情報処理装置に、本発明のクロスコネクト装置の機能に相応する機能を実現させるプログラムである。あるいは、本発明は、汎用の情報処理装置にインストールすることにより、その汎用の情報処理装置に、本発明の通信方法の手順に相応する手順を実行させるプログラムである。
【００２４】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００２５】
これにより、汎用の情報処理装置を用いて、本発明のＳＤＨ／ＩＰ装置またはクロスコネクト装置の機能に相応する機能を実現し、本発明の通信方法の手順に相応する手順を実行させることができる。
【００２６】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【００２７】
このように、本発明の特徴は、同期信号であるＳＤＨ信号をＩＰでカプセル化することで、非同期ネットワークであるＥｔｈｅｒｎｅｔ網での伝送を可能とし、カプセル化されたＳＤＨ信号のオーバヘッドバイト（例えば、Ａ１、Ａ２バイト）に信号の送信元、送信先の物理的、論理的位置情報を持たせることで、非同期ネットワークであるＥｔｈｅｒｎｅｔ網でのＳＤＨ信号のＤｉｇｉｔａｌ  Ｃｒｏｓｓ−Ｃｏｎｎｅｃｔを実現したところにある。
【発明の効果】
【００２８】
本発明によれば、第一の効果は、ＳＤＨ信号の位置情報をＩＰカプセル化して送受信することにより、Ｅｔｈｅｒｎｅｔ網上で送信元および送信先の位置情報検出ができるようにしているため、Ｅｔｈｅｒｎｅｔ網上でＳＤＨ装置の機能であるＣｒｏｓｓ−Ｃｏｎｎｅｃｔ機能を実現することができることである。
【００２９】
第二の効果は、ＭｕｌｔｉＦｒａｍｅを組むことによりＳＤＨ信号の時間的順序を検出することができるようにしているため、揺らぎの大きいＥｔｈｅｒｎｅｔ網上でも時間的順序の再現性が高いことである。
【００３０】
第三の効果は、ＩＥＥＥ１５８８のＰＴＰを使用することにより、Ｅｔｈｅｒｎｅｔ網上で１μｓ以内の誤差で、各装置の同期が可能となり、非同期網でありながら、同期網と同等の伝送が可能となることである。
【発明を実施するための最良の形態】
【００３１】
（本実施例のＳＤＨ／ＩＰ装置の構成の説明）
本発明は、図１に示すＳＤＨ／ＩＰ装置とＤｉｇｉｔａｌ  Ｃｒｏｓｓ−Ｃｏｎｎｅｃｔ／Ｌ３−ＳＷ装置を使用したシステムである。
【００３２】
ＳＤＨ／ＩＰ装置は、送信処理部と受信処理部とに分けることができる。図４はＳＤＨ／ＩＰ装置のＥｔｈｅｒｎｅｔ網への送信方向の機能ブロックである送信処理部５１を示す図である。送信処理部５１において、主信号の処理を行う構成部品として、同期網からＳＤＨ信号を受信して処理するＳＤＨ信号受信部６１と、受信したＳＤＨ信号をカプセル化単位のＳＴＭ−０単位の信号に分割するＳＴＭ−０分割処理部６２と、ＳＴＭ−０信号毎に送信元および送信先ＩＤと状態および制御情報と送信元の時刻情報とを送信するためのＭｕｌｔｉＦｒａｍｅを生成して挿入するＭｕｌｔｉＦｒａｍｅＩｎｄｉｃａｔｏｒ生成部６３と、ＭｕｌｔｉＦｒａｍｅＩｎｄｉｃａｔｏｒが挿入されたＳＴＭ−０信号をＩＰカプセリングするＩＰカプセル化処理部６４と、カプセル化されたＩＰパケットをＥｔｈｅｒｎｅｔ網へ送信するＥｔｈｅｒｎｅｔ送信部６５とを備える。
【００３３】
送信処理部５１において、送信元および送信先ＩＤの処理を行う構成部品として、受信したＳＤＨ信号から送信元ＩＤを生成するＳｏｕｒｃｅＩＤ生成部６６と、受信処理部５２で抽出した受信信号の送信元ＩＤを受け取り、送信する送信先ＩＤを生成するＤｅｓｔｉｎａｔｉｏｎＩＤ生成部６８と、送信先ＩＤから送信先ＩＰアドレスを生成するＤｅｓｔｉｎａｔｉｏｎＩＰアドレス生成部６９とを備える。
【００３４】
送信処理部５１において、状態および制御情報の処理を行う構成部品として、受信処理部５２で抽出した状態および制御情報を受け取り、自装置でのアクションを決定し、送信する状態および制御情報を生成するＭｅｓｓａｇｅＦｉｅｌｄ処理部６７を備える。
【００３５】
送信処理部５１において、時刻情報の処理を行う構成部品として、Ｅｔｈｅｒｎｅｔ網上で誤差１μｓ以内の同期を可能とするＩＥＥＥ１５８８のＰＴＰ(Precision Time Protocol)を使用したタイマのＩＥＥＥ１５８８Ｔｉｍｅｒ部７０と、受信処理部５２で検出した受信信号の送信元時刻情報とＣｒｏｓｓ−Ｃｏｎｎｅｃｔ処理部５３で生成された差分時刻情報とを受け取り、自装置の時刻情報との比較を行い、送信するＳＴＭ−０パケット毎の優先制御を行うＤｅｌａｙ制御部７１とを備える。
【００３６】
図６はＳＤＨ／ＩＰ装置のＥｔｈｅｒｎｅｔ網からの受信方向の機能ブロックである受信処理部５２を示す図である。受信処理部５２において、主信号の処理を行う構成部品として、Ｅｔｈｅｒｎｅｔ信号を受信して処理し、ＩＰパケットを取り出すＥｔｈｅｒｎｅｔ受信部１０１と、受信したＩＰパケットのヘッダを取り外すＩＰデカプセル化処理部１０２と、デカプセル化したパケットからＭｕｌｔｉＦｒａｍｅを終端し、送信元および送信先ＩＤと状態および制御情報と送信元時刻情報および差分時刻情報とを抽出し、ＳＴＭ−０のフレームに整形するＭｕｌｔｉＦｒａｍｅＩｎｄｉｃａｔｏｒ終端部１０３と、整形されたＳＴＭ−０フレームから、ＳＴＭ−Ｎ（Ｎ＝０、１、４）に整形するＳＴＭ−Ｎ信号整形部１０４と、整形されたＳＴＭ−Ｎ信号を同期網へ送信するＳＤＨ信号送信部１０５とを備える。
【００３７】
受信処理部５２において、送信元および送信先ＩＤの処理を行う構成部品として、受信信号の送信元ＩＤを抽出し、送信処理部５１に渡すＳｏｕｒｃｅＩＤ抽出部１０８を備える。
【００３８】
受信処理部５２において、状態および制御情報の処理を行う構成部品として、受信信号の状態および制御情報を抽出し、送信処理部５１に渡すＭｅｓｓａｇｅＦｉｅｌｄ抽出部１０９を備える。
【００３９】
受信処理部５２において、時刻情報の処理を行う構成部品として、受信信号の送信元時刻情報とＣｒｏｓｓ−Ｃｏｎｎｅｃｔ処理部５３で生成された差分時刻情報とを抽出し、送信処理部５１に渡すＴｉｍｅＳｔａｍｐ・ΔＴｉｍｅＳｔａｍｐ検出部１０６と、受信信号の送信元時刻情報および差分時刻情報と自装置の時刻情報とから、ＳＴＭ−Ｎ信号の整形のための制御を行うＦｒａｍｅＡｌｉｇｎｍｅｎｔ制御部１０７とを備える。
【００４０】
ＤｉｇｉｔａｌＣｒｏｓｓ−Ｃｏｎｎｅｃｔ／Ｌ３−ＳＷ装置は、図５に示すＣｒｏｓｓ−Ｃｏｎｎｅｃｔ処理部５３で構成されている。Ｃｒｏｓｓ−Ｃｏｎｎｅｃｔ処理部５３において、主信号の処理を行う構成部品として、Ｅｔｈｅｒｎｅｔ信号を受信して処理し、ＩＰパケットを取り出すＥｔｈｅｒｎｅｔ受信部８１と、受信したＩＰパケットのヘッダを取り外すＩＰデカプセル化処理部８２と、デカプセル化したパケットからＭｕｌｔｉＦｒａｍｅを抽出し、送信元および送信先ＩＤと状態および制御情報と送信元時刻情報とを抽出するＭｕｌｔｉＦｒａｍｅＩｎｄｉｃａｔｏｒ抽出部８３と、受信したデータパケットからＭｕｌｔｉＦｒａｍｅＩｎｄｉｃａｔｏｒを抽出した後、ＭｕｌｔｉＦｒａｍｅＩｎｄｉｃａｔｏｒを再挿入するまで、データパケットを一時保存するＢｕｆｆｅｒ部８４と、送信するデータパケットに送信元および送信先ＩＤと状態および制御情報と差分時刻情報とを送信するためのＭｕｌｔｉＦｒａｍｅを生成して挿入するＭｕｌｔｉＦｒａｍｅＩｎｄｉｃａｔｏｒ挿入部８５と、ＭｕｌｔｉＦｒａｍｅＩｎｄｉｃａｔｏｒが挿入されたデータパケットをＩＰカプセリングするＩＰカプセル化処理部８６と、カプセル化されたＩＰパケットをＥｔｈｅｒｎｅｔ網へ送信するＥｔｈｅｒｎｅｔ送信部８７とを備える。
【００４１】
Ｃｒｏｓｓ−Ｃｏｎｎｅｃｔ処理部５３において、送信元および送信先ＩＤの処理を行う構成部品として、受信信号の送信元および送信先ＩＤを抽出し、ＭｅｓｓａｇｅＦｉｅｌｄ処理部９４へ渡すＳｏｕｒｃｅＩＤ／ＤｅｓｔｉｎａｔｉｏｎＩＤ抽出部９２と、ＭｅｓｓａｇｅＦｉｅｌｄ処理部９４から送信先ＩＤと制御情報とを受け取り、送信する送信先ＩＤを新たに生成するＤｅｓｔｉｎａｔｉｏｎＩＤ生成部９６と、送信先ＩＤから送信先ＩＰアドレスを生成するＤｅｓｔｉｎａｔｉｏｎＩＰアドレス生成部９７とを備える。
【００４２】
Ｃｒｏｓｓ−Ｃｏｎｎｅｃｔ処理部５３において、状態および制御情報の処理を行う構成部品として、受信信号の状態および制御情報を抽出し、ＭｅｓｓａｇｅＦｉｅｌｄ処理部９４へ渡すＭｅｓｓａｇｅＦｉｅｌｄ抽出部９３と、受け取った状態および制御情報と送信元および送信先ＩＤからＣｒｏｓｓ−Ｃｏｎｎｅｃｔテーブルの変更の有無を検出し、送信先ＩＤをＤｅｓｔｉｎａｔｉｏｎＩＤ生成部９６に渡し、送信する状態および制御情報を生成するＭｅｓｓａｇｅＦｉｅｌｄ処理部９４と、本システム内のＳＤＨ信号のＣｒｏｓｓ−ＣｏｎｎｅｃｔをＳＴＭ−０信号単位に管理するＣｒｏｓｓ−Ｃｏｎｎｅｃｔテーブル管理部９５とを備える。
【００４３】
（本実施例のＳＤＨ／ＩＰ装置の動作の説明）
図４の送信処理部５１のＳＤＨ信号受信部６１は、同期網よりＳＤＨ信号を受信し、ＩＴＵ−ＴＧ．７０７に準じた処理を行い、スクランブルを外した状態でＳＴＭ−Ｎ（Ｎ＝０、１、４）の形のままＳＴＭ−０分割処理部６２に渡す。
【００４４】
ＳＴＭ−０分割処理部６２は、受信したＳＴＭ−Ｎ（Ｎ＝０、１、４）をＥｔｈｅｒｎｅｔ網での送信単位であるＳＴＭ−０に分割し、ＭｕｌｔｉＦｒａｍｅＩｎｄｉｃａｔｏｒ生成部６３に渡す。分割方法は、ＳＤＨのＨｉｅｒａｒｃｈｙに準じることとする。そのため、分割後のＳＴＭ−０のオーバヘッドバイトはｂｙｔｅ  ｉｎｔｅｒｌｅａｖｅの規則に従った値が入る。
【００４５】
ＭｕｌｔｉＦｒａｍｅＩｎｄｉｃａｔｏｒ生成部６３は、図７に示すように、Ａ１バイトでＭｕｌｔｉＦｒａｍｅを組み、Ａ１、Ａ２バイトの情報を、ＳＴＭ−０分割処理部６２から受信したＳＴＭ−０のオーバヘッドバイトであるＡ１、Ａ２バイトの位置に挿入し、ＩＰカプセル化処理部６４に渡す。ＭｕｌｔｉＦｒａｍｅＩｎｄｉｃａｔｏｒ生成部６３は、ＳＴＭ−０分割処理部６２から受信したＳＴＭ−０の分割数分の並列処理を行い、並列にＩＰカプセル化処理部６４に渡す。
【００４６】
ＭｕｌｔｉＦｒａｍｅＩｎｄｉｃａｔｏｒは図７で示すような構成で、Ａ１バイトは、ＩＴＵ−ＴＧ．７０７でＶｉｒｔｕａｌＣｏｎｃａｔｅｎａｔｉｏｎを実現するために使用される方法と同様な方法で実現し、ＭＦＩ１(MultiFrameIndicator1)とＭＦＩ２(MultiFrameIndicator2)とで最大１６×２５６の４０９６フレームのＭｕｌｔｉＦｒａｍｅを組む。
【００４７】
Ａ１バイトのｂｉｔ１〜４で表す情報は、ＭｕｌｔｉＦｒａｍｅを構成するＭＦＩ２と、送信元のＣｏｎｃａｔｅｎａｔｉｏｎＧｒｏｕｐを表すＳｏｕｒｃｅＧｒｏｕｐＩＤと、送信元のＣｏｎｃａｔｅｎａｔｉｏｎ内でのＶＣ−３単位でのＴｉｍｅＳｌｏｔ位置を表すＳｏｕｒｃｅＳｅｑｕｅｎｃｅＩＤと、将来予約のＲｅｓｅｒｖｅｄである。Ａ１バイトのｂｉｔ５〜８で表す情報は、ＭｕｌｔｉＦｒａｍｅを構成するＭＦＩ１である。
【００４８】
Ａ２バイトで表す情報は、送信元の時刻情報を０．１ｍｓ単位で表すＳｏｕｒｃｅＴｉｍｅＳｔａｍｐと、送信元の装置を識別するためのＳｏｕｒｃｅ装置ＩＤと、送信元装置のＳＤＨ受信部のＰｏｒｔ位置を識別するためのＳｏｕｒｃｅＰｏｒｔＩＤと、送信元のＳＴＭ−Ｎ（Ｎ＝０、１、４）信号を表すＳｏｕｒｃｅＣｏｎｃａｔｅｎａｔｉｏｎＳｉｚｅと、Ｃｒｏｓｓ−Ｃｏｎｎｅｃｔの変更や各ＳＴＭ−０信号の状態を表すＭｅｓｓａｇｅＦｉｅｌｄと、Ｃｒｏｓｓ−Ｃｏｎｎｅｃｔ処理部での時刻情報を送信元時刻情報からの差分として０．１ｍｓ単位で表すΔＴｉｍｅＳｔａｍｐと、送信先の装置を識別するためのＤｅｓｔｉｎａｔｉｏｎ装置ＩＤと、送信先装置のＳＤＨ受信部のＰｏｒｔ位置を識別するためのＤｅｓｔｉｎａｔｉｏｎＰｏｒｔＩＤと、送信先のＣｏｎｃａｔｅｎａｔｉｏｎ内でのＶＣ−３単位でのＴｉｍｅＳｌｏｔ位置を表すＤｅｓｔｉｎａｔｉｏｎＳｅｑｕｅｎｃｅＩＤと、送信先のＣｏｎｃａｔｅｎａｔｉｏｎＧｏｒｏｕｐを表すＤｅｓｔｉｎａｔｉｏｎＧｒｏｕｐＩＤと、将来予約のＲｅｓｅｒｖｅｄである。
【００４９】
ＭｕｌｔｉＦｒａｍｅＩｎｄｉｃａｔｏｒ生成部６３は、ＳｏｕｒｃｅＩＤ生成部６６から送信元ＩＤの情報を受け取り、ＭｕｌｔｉＦｒａｍｅのＭＦＩ１＝３に対応するＡ１バイトのｂｉｔ１〜４のＳｏｕｒｃｅＧｒｏｕｐＩＤと、Ａ２バイトのＳｏｕｒｃｅ装置ＩＤと、ＭＦＩ１＝４に対応するＡ２バイトのＳｏｕｒｃｅＰｏｒｔＩＤと、ＭＦＩ１＝５に対応するＳｏｕｒｃｅＣｏｎｃａｔｅｎａｔｉｏｎＳｉｚｅと、ＭＦＩ１＝１４に対応するＡ１バイトのｂｉｔ１〜４のＳｏｕｒｃｅＳｅｑｕｅｎｃｅＩＤ（ＭＳＢ）とＭＦＩ１＝１５に対応するＡ１バイトのｂｉｔ１〜４のＳｏｕｒｃｅＳｅｑｕｅｎｃｅＩＤ（ＬＳＢ）に挿入する。
【００５０】
ＭｕｌｔｉＦｒａｍｅＩｎｄｉｃａｔｏｒ生成部６３は、ＭｅｓｓａｇｅＦｉｅｌｄ処理部６７から送信する状態および制御情報を受け取り、ＭｕｌｔｉＦｒａｍｅのＭＦＩ１＝７に対応するＡ２バイトのＭｅｓｓａｇｅＦｉｅｌｄ（Ｒｅｑｕｅｓｔ）と、ＭＦＩ１＝１５に対応するＡ２バイトのＭｅｓｓａｇｅＦｉｅｌｄ（Ｒｅｐｌｙ）とに挿入する。
【００５１】
ＭｕｌｔｉＦｒａｍｅＩｎｄｉｃａｔｏｒ生成部６３は、ＤｅｓｔｉｎａｔｉｏｎＩＤ生成部６８から送信先ＩＤの情報を受け取り、ＭｕｌｔｉＦｒａｍｅのＭＦＩ１＝１１に対応するＡ２バイトのＤｅｓｔｉｎａｔｉｏｎ装置ＩＤと、ＭＦＩ１＝１２に対応するＡ２バイトのＤｅｓｔｉｎａｔｉｏｎＰｏｒｔＩＤと、ＭＦＩ１＝１３に対応するＡ２バイトのＤｅｓｔｉｎａｔｉｏｎＳｅｑｕｅｎｃｅＩＤと、ＭＦＩ１＝１４に対応するＡ２バイトのＤｅｓｔｉｎａｔｉｏｎＧｒｏｕｐＩＤとに挿入する。
【００５２】
ＭｕｌｔｉＦｒａｍｅＩｎｄｉｃａｔｏｒ生成部６３は、ＩＥＥＥ１５８８Ｔｉｍｅｒ部７０から０．１ｍｓ単位の送信元時刻情報を受け取り、ＭｕｌｔｉＦｒａｍｅのＭＦＩ１＝０に対応するＡ２バイトのＳｏｕｒｃｅＴｉｍｅＳｔａｍｐ（ＭＳＢ）と、ＭＦＩ１＝１に対応するＡ２バイトのＳｏｕｒｃｅＴｉｍｅＳｔａｍｐと、ＭＦＩ１＝２に対応するＡ２バイトのＳｏｕｒｃｅＴｉｍｅＳｔａｍｐ（ＬＳＢ）とに挿入する。
【００５３】
ＩＰカプセル化処理部６４は、ＭｕｌｔｉＦｒａｍｅＩｎｄｉｃａｔｏｒ生成部６３から受信したＭｕｌｔｉＦｒａｍｅを構成したＳＴＭ−０にＩＰヘッダを付与し、ＩＰカプセリングを行い、Ｅｔｈｅｒｎｅｔ送信部６５に渡す。
【００５４】
ＩＰカプセル化処理部６４は、ＤｅｓｔｉｎａｔｉｏｎＩＰアドレス生成部６９から送信先ＩＰアドレスの情報を受け取り、ＩＰヘッダ内のＤｅｓｔｉｎａｔｉｏｎＩＰＡｄｄｒｅｓｓに挿入する。
【００５５】
ＩＰカプセル化処理部６４は、Ｄｅｌａｙ制御部７１から優先制御情報を受け取り、ＩＰヘッダ内のＴＯＳ(Type of Service)に挿入する。
【００５６】
Ｅｔｈｅｒｎｅｔ送信部６５は、ＩＰカプセル化処理部６４から受信したＩＰパケットにＭＡＣヘッダを付与し、ＥｔｈｅｒｎｅｔフレームとしてＥｔｈｅｒｎｅｔ網へ送信する。
【００５７】
ＳＴＭ−０信号が挿入されたＥｔｈｅｒｎｅｔフレームの構成例を図８に示す。
【００５８】
Ｅｔｈｅｒｎｅｔ送信部６５は、Ｄｅｌａｙ制御部７１から優先制御情報を受け取り、Ｅｔｈｅｒｎｅｔ網への送信処理時のキュー制御を行う。
【００５９】
ＳｏｕｒｃｅＩＤ生成部６６は、ＳＴＭ−０分割処理部６２からＶＣ−３単位のＴｉｍｅＳｌｏｔ位置と、元のＳＴＭ−Ｎ（Ｎ＝０、１、４）のＣｏｎｃａｔｅｎａｔｉｏｎＳｉｚｅの情報とを受け取り、装置を識別するための装置ＩＤと、ＳＤＨ受信部のＰｏｒｔ位置を識別するためのＰｏｒｔＩＤと共に、ＭｕｌｔｉＦｒａｍｅＩｎｄｉｃａｔｏｒ生成部６３に渡す。
【００６０】
ＭｅｓｓａｇｅＦｉｅｌｄ処理部６７は、受信処理部５２のＭｅｓｓａｇｅＦｉｅｌｄ抽出部１０９から受信した信号のＭｅｓｓａｇｅＦｉｅｌｄの情報を受け取り、送信用ＭｅｓｓａｇｅＦｉｅｌｄ（Ｒｅｑｕｅｓｔ）およびＭｅｓｓａｇｅＦｉｅｌｄ（Ｒｅｐｌｙ）の情報を生成し、ＭｕｌｔｉＦｒａｍｅＩｎｄｉｃａｔｏｒ生成部６３に渡す。
【００６１】
ＤｅｓｔｉｎａｔｉｏｎＩＤ生成部６８は、受信処理部５２のＳｏｕｒｃｅＩＤ抽出部１０８から受信した信号の送信元ＩＤの情報を受け取り、送信用の送信先ＩＤに変換し、ＭｕｌｔｉＦｒａｍｅＩｎｄｉｃａｔｏｒ生成部６３と、ＤｅｓｔｉｎａｔｉｏｎＩＰアドレス生成部６９とに渡す。
【００６２】
ＤｅｓｔｉｎａｔｉｏｎＩＰアドレス生成部６９は、ＤｅｓｔｉｎａｔｉｏｎＩＤ生成部６８から送信先ＩＤを受け取り、送信先ＩＰアドレスを生成し、ＩＰカプセル化処理部６４に渡す。送信先ＩＰアドレスは、基本はＤｉｇｉｔａｌＣｒｏｓｓ−Ｃｏｎｎｅｃｔ／Ｌ３−ＳＷ装置宛とし、Ｃｒｏｓｓ−Ｃｏｎｎｅｃｔ機能が不要な場合に、ＳＤＨ／ＩＰ装置宛に変更される。ＤｅｓｔｉｎａｔｉｏｎＩＰアドレス生成部６９は、ＩＰアドレステーブルを備える。
【００６３】
ＩＥＥＥ１５８８Ｔｉｍｅｒ部７０は、Ｅｔｈｅｒｎｅｔ網上で誤差１μｓ以内の同期を可能とするＩＥＥＥ１５８８のＰＴＰを使用したタイマを持ち、０．１ｍｓ単位の時刻情報をＭｕｌｔｉＦｒａｍｅＩｎｄｉｃａｔｏｒ生成部６３と、Ｄｅｌａｙ制御部７１と、受信処理部５２のＦｒａｍｅＡｌｉｇｎｍｅｎｔ制御部１０７に渡す。
【００６４】
Ｄｅｌａｙ制御部７１は、ＩＥＥＥ１５８８Ｔｉｍｅｒ部７０から０．１ｍｓ単位の時刻情報を受け取り、受信処理部５２のＴｉｍｅＳｔａｍｐ・ΔＴｉｍｅＳｔａｍｐ検出部１０６から受信信号の送信元時刻情報および差分時刻情報を受け取り、Ｅｔｈｅｒｎｅｔ網のＤｅｌａｙを検出し、優先制御情報をＩＰカプセル化処理部６４と、Ｅｔｈｅｒｎｅｔ送信部６５とに渡す。
【００６５】
図５のＣｒｏｓｓ−Ｃｏｎｎｅｃｔ処理部５３のＥｔｈｅｒｎｅｔ受信部８１は、Ｅｔｈｅｒｎｅｔ網からＥｔｈｅｒｎｅｔフレームを受け取り、ＭＡＣヘッダの処理を行い、ＩＰパケットを取り出し、ＩＰデカプセル化処理部８２に渡す。
【００６６】
ＩＰデカプセル化処理部８２は、Ｅｔｈｅｒｎｅｔ受信部８１からＩＰパケットを受け取り、ＩＰヘッダの処理を行い、データパケットを取り出し、ＭｕｌｔｉＦｒａｍｅＩｎｄｉｃａｔｏｒ抽出部８３に渡す。
【００６７】
ＭｕｌｔｉＦｒａｍｅＩｎｄｉｃａｔｏｒ抽出部８３は、図７で示すＡ１バイトでＭｕｌｔｉＦｒａｍｅを組んだＡ１、Ａ２バイトを抽出し、Ｂｕｆｆｅｒ部８４に渡す。ＭｕｌｔｉＦｒａｍｅＩｎｄｉｃａｔｏｒ抽出部８３はＩＰデカプセル化処理部８２から受信したデータパケットの数分の並列処理を行い、並列にＢｕｆｆｅｒ部８４に渡す。
【００６８】
ＭｕｌｔｉＦｒａｍｅＩｎｄｉｃａｔｏｒ抽出部８３は、Ａ１、Ａ２バイトを抽出し、ＴｉｍｅＳｔａｍｐ検出部８８に渡す。
【００６９】
ＭｕｌｔｉＦｒａｍｅＩｎｄｉｃａｔｏｒ抽出部８３は、Ａ１、Ａ２バイトを抽出し、ＳｏｕｒｃｅＩＤ／ＤｅｓｔｉｎａｔｉｏｎＩＤ抽出部９２に渡す。
【００７０】
ＭｕｌｔｉＦｒａｍｅＩｎｄｉｃａｔｏｒ抽出部８３は、Ａ１、Ａ２バイトを抽出し、ＭｅｓｓａｇｅＦｉｅｌｄ抽出部９３に渡す。
【００７１】
Ｂｕｆｆｅｒ部８４は、ＭｕｌｔｉＦｒａｍｅＩｎｄｉｃａｔｏｒ抽出部８３からデータパケットを受け取り、バッファリングし、ＭｕｌｔｉＦｒａｍｅＩｎｄｉｃａｔｏｒ挿入部８５に渡す。
【００７２】
ＭｕｌｔｉＦｒａｍｅＩｎｄｉｃａｔｏｒ挿入部８５は、図７に示すようにＡ１バイトでＭｕｌｔｉＦｒａｍｅを組み、Ａ１、Ａ２バイトの情報を、Ｂｕｆｆｅｒ部８４から受信したデータパケットに挿入し、ＩＰカプセル化処理部８６に渡す。
【００７３】
ＭｕｌｔｉＦｒａｍｅＩｎｄｉｃａｔｏｒ挿入部８５は、Ｂｕｆｆｅｒ部８４から受信したデータパケットの数分の並列処理を行い、並列にＩＰカプセル化処理部８６に渡す。
【００７４】
ＭｕｌｔｉＦｒａｍｅＩｎｄｉｃａｔｏｒ挿入部８５は、ＭｅｓｓａｇｅＦｉｅｌｄ処理部９４から送信する状態および制御情報を受け取り、ＭｕｌｔｉＦｒａｍｅのＭＦＩ１＝７に対応するＡ２バイトのＭｅｓｓａｇｅＦｉｅｌｄ（Ｒｅｑｕｅｓｔ）と、ＭＦＩ１＝１５に対応するＡ２バイトのＭｅｓｓａｇｅＦｉｅｌｄ（Ｒｅｐｌｙ）に挿入する。
【００７５】
ＭｕｌｔｉＦｒａｍｅＩｎｄｉｃａｔｏｒ挿入部８５は、ＤｅｓｔｉｎａｔｉｏｎＩＤ生成部９６から送信先ＩＤの情報を受け取り、ＭｕｌｔｉＦｒａｍｅのＭＦＩ１＝１１に対応するＡ２バイトのＤｅｓｔｉｎａｔｉｏｎ装置ＩＤと、ＭＦＩ１＝１２に対応するＡ２バイトのＤｅｓｔｉｎａｔｉｏｎＰｏｒｔＩＤと、ＭＦＩ１＝１３に対応するＡ２バイトのＤｅｓｔｉｎａｔｉｏｎＳｅｑｕｅｎｃｅＩＤと、ＭＦＩ１＝１４に対応するＡ２バイトのＤｅｓｔｉｎａｔｉｏｎＧｒｏｕｐＩＤとに挿入する。
【００７６】
ＭｕｌｔｉＦｒａｍｅＩｎｄｉｃａｔｏｒ挿入部８５は、ΔＴｉｍｅＳｔａｍｐ生成部９０から０．１ｍｓ単位の差分時刻情報を受け取り、ＭｕｌｔｉＦｒａｍｅのＭＦＩ１＝８に対応するＡ２バイトのΔＴｉｍｅＳｔａｍｐ（ＭＳＢ）と、ＭＦＩ１＝９に対応するＡ２バイトのΔＴｉｍｅＳｔａｍｐと、ＭＦＩ１＝１０に対応するＡ２バイトのΔＴｉｍｅＳｔａｍｐ（ＬＳＢ）とに挿入する。
【００７７】
ＩＰカプセル化処理部８６は、ＭｕｌｔｉＦｒａｍｅＩｎｄｉｃａｔｏｒ挿入部８５から受信したＭｕｌｔｉＦｒａｍｅを構成したデータパケットにＩＰヘッダを付与し、ＩＰカプセルを行い、Ｅｔｈｅｒｎｅｔ送信部８７に渡す。
【００７８】
ＩＰカプセル化処理部８６は、ＤｅｓｔｉｎａｔｉｏｎＩＰアドレス生成部９７から送信先ＩＰアドレスの情報を受け取り、ＩＰヘッダ内のＤｅｓｔｉｎａｔｉｏｎＩＰＡｄｄｒｅｓｓに挿入する。
【００７９】
ＩＰカプセル化処理部８６は、Ｄｅｌａｙ制御部９１から優先制御情報を受け取り、ＩＰヘッダ内のＴＯＳ(Type of Service)に挿入する。
【００８０】
Ｅｔｈｅｒｎｅｔ送信部８７は、ＩＰカプセル化処理部８６から受信したＩＰパケットにＭＡＣヘッダを付与し、ＥｔｈｅｒｎｅｔフレームとしてＥｔｈｅｒｎｅｔ網へ送信する。
【００８１】
Ｅｔｈｅｒｎｅｔ送信部８７は、Ｄｅｌａｙ制御部９１から優先制御情報を受け取り、Ｅｔｈｅｒｎｅｔ網への送信処理時のキュー制御を行う。
【００８２】
ＴｉｍｅＳｔａｍｐ検出部８８は、ＭｕｌｔｉＦｒａｍｅＩｎｄｉｃａｔｏｒ抽出部８３からＡ１、Ａ２バイトの情報を受け取り、ＭｕｌｔｉＦｒａｍｅのＭＦＩ１＝０に対応するＡ２バイトのＳｏｕｒｃｅＴｉｍｅＳｔａｍｐ（ＭＳＢ）と、ＭＦＩ１＝１に対応するＡ２バイトのＳｏｕｒｃｅＴｉｍｅＳｔａｍｐと、ＭＦＩ１＝２に対応するＡ２バイトのＳｏｕｒｃｅＴｉｍｅＳｔａｍｐ（ＬＳＢ）とから、０．１ｍｓ単位の送信元時刻情報を抽出し、ΔＴｉｍｅＳｔａｍｐ生成部９０に渡す。
【００８３】
ＩＥＥＥ１５８８Ｔｉｍｅｒ部８９は、Ｅｔｈｅｒｎｅｔ網上で誤差１μｓ以内の同期を可能とするＩＥＥＥ１５８８のＰＴＰを使用したタイマを持ち、０．１ｍｓ単位の時刻情報をΔＴｉｍｅＳｔａｍｐ生成部９０に渡す。
【００８４】
ΔＴｉｍｅＳｔａｍｐ生成部９０は、ＴｉｍｅＳｔａｍｐ検出部８８から送信元時刻情報を、ＩＥＥＥ１５８８Ｔｉｍｅｒ部８９から自装置の時刻情報をそれぞれ受け取り、差分時刻情報を生成し、ＭｕｌｔｉＦｒａｍｅＩｎｄｉｃａｔｏｒ挿入部８５とＤｅｌａｙ制御部９１とに渡す。
【００８５】
ＳｏｕｒｃｅＩＤ／ＤｅｓｔｉｎａｔｉｏｎＩＤ抽出部９２は、ＭｕｌｔｉＦｒａｍｅＩｎｄｉｃａｔｏｒ抽出部８３からＡ１、Ａ２バイトの情報を受け取り、ＭｕｌｔｉＦｒａｍｅのＭＦＩ１＝３に対応するＡ１バイトのｂｉｔ１〜４のＳｏｕｒｃｅＧｒｏｕｐＩＤと、Ａ２バイトのＳｏｕｒｃｅ装置ＩＤと、ＭＦＩ１＝４に対応するＡ２バイトのＳｏｕｒｃｅＰｏｒｔＩＤと、ＭＦＩ１＝５に対応するＳｏｕｒｃｅＣｏｎｃａｔｅｎａｔｉｏｎＳｉｚｅと、ＭＦＩ１＝１４に対応するＡ１バイトのｂｉｔ１〜４のＳｏｕｒｃｅＳｅｑｕｅｎｃｅＩＤ（ＭＳＢ）とＭＦＩ１＝１５に対応するＡ１バイトのｂｉｔ１〜４のＳｏｕｒｃｅＳｅｑｕｅｎｃｅＩＤ（ＬＳＢ）から、送信元ＩＤの情報を、ＭＦＩ１＝１１に対応するＡ２バイトのＤｅｓｔｉｎａｔｉｏｎ装置ＩＤと、ＭＦＩ１＝１２に対応するＡ２バイトのＤｅｓｔｉｎａｔｉｏｎＰｏｒｔＩＤと、ＭＦＩ１＝１３に対応するＡ２バイトのＤｅｓｔｉｎａｔｉｏｎＳｅｑｕｅｎｃｅＩＤと、ＭＦＩ１＝１４に対応するＡ２バイトのＤｅｓｔｉｎａｔｉｏｎＧｒｏｕｐＩＤから、送信先ＩＤの情報をそれぞれ抽出し、ＭｅｓｓａｇｅＦｉｅｌｄ処理部９４に渡す。
【００８６】
ＭｅｓｓａｇｅＦｉｅｌｄ抽出部９３は、ＭｕｌｔｉＦｒａｍｅＩｎｄｉｃａｔｏｒ抽出部８３からＡ１、Ａ２バイトの情報を受け取り、ＭｕｌｔｉＦｒａｍｅのＭＦＩ１＝７に対応するＡ２バイトのＭｅｓｓａｇｅＦｉｅｌｄ（Ｒｅｑｕｅｓｔ）と、ＭＦＩ１＝１５に対応するＡ２バイトのＭｅｓｓａｇｅＦｉｅｌｄ（Ｒｅｐｌｙ）から、状態および制御情報を抽出し、ＭｅｓｓａｇｅＦｉｅｌｄ処理部９４に渡す。
【００８７】
ＭｅｓｓａｇｅＦｉｅｌｄ処理部９４は、ＳｏｕｒｃｅＩＤ／ＤｅｓｔｉｎａｔｉｏｎＩＤ抽出部９２から送信元および送信先のＩＤを受け取り、ＭｅｓｓａｇｅＦｉｅｌｄ抽出部９３から送信元の状態および制御情報を受け取り、Ｃｒｏｓｓ−Ｃｏｎｎｅｃｔテーブルの変更の有無を検出し、送信する状態および制御情報を生成し、送信先ＩＤと変更情報とをＤｅｓｔｉｎａｔｉｏｎＩＤ生成部９６に、送信する状態および制御情報をＭｕｌｔｉＦｒａｍｅＩｎｄｉｃａｔｏｒ挿入部８５にそれぞれ渡す。
【００８８】
Ｃｒｏｓｓ−Ｃｏｎｎｅｃｔテーブル管理部９５は、図３に示すようなテーブルを保持し、システム内でのＶＣ−３単位でのＣｒｏｓｓ−Ｃｏｎｎｅｃｔを１Ｗａｙで管理する。
【００８９】
Ｃｒｏｓｓ−Ｃｏｎｎｅｃｔテーブル管理部９５は、ＭｅｓｓａｇｅＦｉｅｌｄ処理部９４からＣｒｏｓｓ−Ｃｏｎｎｅｃｔテーブルの変更の有無情報を受け取り、必要に応じてＣｒｏｓｓ−Ｃｏｎｎｅｃｔテーブルを書き換えると共に、送信先ＩＤの変更情報をＭｅｓｓａｇｅＦｉｅｌｄ処理部９４に渡す。
【００９０】
ＤｅｓｔｉｎａｔｉｏｎＩＤ生成部９６は、ＭｅｓｓａｇｅＦｉｅｌｄ処理部９４から送信先ＩＤと変更情報とを受け取り、送信用の送信先ＩＤに変換し、ＭｕｌｔｉＦｒａｍｅＩｎｄｉｃａｔｏｒ挿入部８５と、ＤｅｓｔｉｎａｔｉｏｎＩＰアドレス生成部９７とに渡す。
【００９１】
ＤｅｓｔｉｎａｔｉｏｎＩＰアドレス生成部９７は、ＤｅｓｔｉｎａｔｉｏｎＩＤ生成部９６から送信先ＩＤを受け取り、送信先ＩＰアドレスを生成し、ＩＰカプセル化処理部８６に渡す。ＤｅｓｔｉｎａｔｉｏｎＩＰアドレス生成部９７は、ＩＰアドレステーブルを備える。
【００９２】
図６の受信処理部５２のＥｔｈｅｒｎｅｔ受信部１０１は、Ｅｔｈｅｒｎｅｔ網からＥｔｈｅｒｎｅｔフレームを受け取り、ＭＡＣヘッダの処理を行い、ＩＰパケットを取り出し、ＩＰデカプセル化処理部１０２に渡す。
【００９３】
ＩＰデカプセル化処理部１０２は、Ｅｔｈｅｒｎｅｔ受信部１０１からＩＰパケットを受け取り、ＩＰヘッダの処理を行い、データパケットを取り出し、ＭｕｌｔｉＦｒａｍｅＩｎｄｉｃａｔｏｒ終端部１０３に渡す。
【００９４】
ＭｕｌｔｉＦｒａｍｅＩｎｄｉｃａｔｏｒ終端部１０３は、図７で示すＡ１バイトでＭｕｌｔｉＦｒａｍｅを組んだＡ１、Ａ２バイトを抽出し、Ａ１バイトには、１６進数でＦ６を、Ａ２バイトには１６進数で２８をそれぞれ挿入し、ＳＴＭ−Ｎ信号整形部１０４に渡す。ＭｕｌｔｉＦｒａｍｅＩｎｄｉｃａｔｏｒ終端部１０３はＩＰデカプセル化処理部１０２から受信したデータパケットの数分の並列処理を行い、並列にＳＴＭ−Ｎ信号整形部１０４に渡す。
【００９５】
ＭｕｌｔｉＦｒａｍｅＩｎｄｉｃａｔｏｒ終端部１０３は、Ａ１、Ａ２バイトを抽出し、ＳｏｕｒｃｅＩＤ抽出部１０８に渡す。
【００９６】
ＭｕｌｔｉＦｒａｍｅＩｎｄｉｃａｔｏｒ終端部１０３は、Ａ１、Ａ２バイトを抽出し、ＴｉｍｅＳｔａｍｐ・ΔＴｉｍｅＳｔａｍｐ検出部１０６に渡す。
【００９７】
ＭｕｌｔｉＦｒａｍｅＩｎｄｉｃａｔｏｒ終端部１０３は、Ａ１、Ａ２バイトを抽出し、ＭｅｓｓａｇｅＦｉｅｌｄ抽出部１０９に渡す。
【００９８】
ＳＴＭ−Ｎ信号整形部１０４は、ＭｕｌｔｉＦｒａｍｅＩｎｄｉｃａｔｏｒ終端部１０３からＳＴＭ−０の信号を受け取り、ＦｒａｍｅＡｌｉｇｎｍｅｎｔ制御部１０７からの情報に従い、ＳＴＭ−Ｎ（Ｎ＝０、１、４）信号として整形を行い、ＳＤＨ信号送信部１０５に渡す。
【００９９】
ＳＤＨ信号送信部１０５は、ＳＴＭ−Ｎ信号整形部１０４からＳＴＭ−Ｎ（Ｎ＝０、１、４）信号を受け取り、ＳＤＨ信号として正しくなるように、再度オーバヘッドバイトの再計算を行い、スクランブルを掛け直してから、同期網へＳＤＨ信号として送信する。
【０１００】
ＴｉｍｅＳｔａｍｐ・ΔＴｉｍｅＳｔａｍｐ検出部１０６は、ＭｕｌｔｉＦｒａｍｅＩｎｄｉｃａｔｏｒ終端部１０３からＡ１、Ａ２バイトの情報を受け取り、ＭｕｌｔｉＦｒａｍｅのＭＦＩ１＝０に対応するＡ２バイトのＳｏｕｒｃｅＴｉｍｅＳｔａｍｐ（ＭＳＢ）と、ＭＦＩ１＝１に対応するＡ２バイトのＳｏｕｒｃｅＴｉｍｅＳｔａｍｐと、ＭＦＩ１＝２に対応するＡ２バイトのＳｏｕｒｃｅＴｉｍｅＳｔａｍｐ（ＬＳＢ）とから、０．１ｍｓ単位の送信元時刻情報を、ＭＦＩ１＝８に対応するＡ２バイトのΔＴｉｍｅＳｔａｍｐ（ＭＳＢ）と、ＭＦＩ１＝９に対応するＡ２バイトのΔＴｉｍｅＳｔａｍｐと、ＭＦＩ１＝１０に対応するＡ２バイトのΔＴｉｍｅＳｔａｍｐ（ＬＳＢ）とから、０．１ｍｓ単位の差分時刻情報をそれぞれ抽出し、送信処理部５１のＤｅｌａｙ制御部７１と、ＦｒａｍｅＡｌｉｇｎｍｅｎｔ制御部１０７とに渡す。
【０１０１】
ＦｒａｍｅＡｌｉｇｎｍｅｎｔ制御部１０７は、ＴｉｍｅＳｔａｍｐ・ΔＴｉｍｅＳｔａｍｐ検出部１０６から送信元時刻情報と差分時刻情報とを、送信処理部５１のＩＥＥＥ１５８８Ｔｉｍｅｒ部７０から自装置の時刻情報をそれぞれ受け取り、ＦｒａｍｅＡｌｉｇｎｍｅｎｔを行うグループの整形指示をＳＴＭ−Ｎ信号整形部１０４に渡す。
【０１０２】
ＳｏｕｒｃｅＩＤ抽出部１０８は、ＭｕｌｔｉＦｒａｍｅＩｎｄｉｃａｔｏｒ終端部１０３からＡ１、Ａ２バイトの情報を受け取り、ＭｕｌｔｉＦｒａｍｅのＭＦＩ１＝３に対応するＡ１バイトのｂｉｔ１〜４のＳｏｕｒｃｅＧｒｏｕｐＩＤと、Ａ２バイトのＳｏｕｒｃｅ装置ＩＤと、ＭＦＩ１＝４に対応するＡ２バイトのＳｏｕｒｃｅＰｏｒｔＩＤと、ＭＦＩ１＝５に対応するＳｏｕｒｃｅＣｏｎｃａｔｅｎａｔｉｏｎＳｉｚｅと、ＭＦＩ１＝１４に対応するＡ１バイトのｂｉｔ１〜４のＳｏｕｒｃｅＳｅｑｕｅｎｃｅＩＤ（ＭＳＢ）とＭＦＩ１＝１５に対応するＡ１バイトのｂｉｔ１〜４のＳｏｕｒｃｅＳｅｑｕｅｎｃｅＩＤ（ＬＳＢ）から、送信元ＩＤの情報を抽出し、送信処理部５１のＤｅｓｔｉｎａｔｉｏｎＩＤ生成部６９に渡す。
【０１０３】
ＭｅｓｓａｇｅＦｉｅｌｄ抽出部１０９は、ＭｕｌｔｉＦｒａｍｅＩｎｄｉｃａｔｏｒ終端部１０３からＡ１、Ａ２バイトの情報を受け取り、ＭｕｌｔｉＦｒａｍｅのＭＦＩ１＝７に対応するＡ２バイトのＭｅｓｓａｇｅＦｉｅｌｄ（Ｒｅｑｕｅｓｔ）と、ＭＦＩ１＝１５に対応するＡ２バイトのＭｅｓｓａｇｅＦｉｅｌｄ（Ｒｅｐｌｙ）から、状態および制御情報を抽出し、送信処理部５１のＭｅｓｓａｇｅＦｉｅｌｄ処理部６７に渡す。
【０１０４】
（本実施例のＳＤＨ／ＩＰ装置による制御手順の説明）
次に、図１の構成を例に、本実施例のＳＤＨ／ＩＰ装置による制御手順を説明する。
【０１０５】
Ｅｔｈｅｒｎｅｔ網１に本発明のＳＤＨ／ＩＰ装置１１、１２、１３があり、本発明のＤｉｇｉｔａｌＣｒｏｓｓ−Ｃｏｎｎｅｃｔ／Ｌ３−ＳＷ装置１４とそれぞれギガビットイーサ（ＧｂＥ）により接続されている構成で、それぞれのＳＤＨ／ＩＰ装置にＳＤＨの信号が接続されている。
【０１０６】
ＳＤＨ／ＩＰ装置１１には、ＳＴＭ−４信号２１が接続され、ＳＤＨ／ＩＰ装置１２にはＳＴＭ−１信号２２およびＳＴＭ−１信号２３が接続され、ＳＤＨ／ＩＰ装置１３にはＳＴＭ−４信号２４が接続されている。
【０１０７】
本例では、図２に示すように、ＳＤＨ信号をＥｔｈｅｒｎｅｔ上で、ＳＴＭ−１毎にＣｒｏｓｓ−Ｃｏｎｎｅｃｔしている。
【０１０８】
このときのＣｒｏｓｓ−Ｃｏｎｎｅｃｔテーブルは、図３に示すとおりとなる。
【０１０９】
この構成で、ＳＴＭ−４信号２１内のＶＣ−３単位でＴｉｍｅＳｌｏｔ１０のＳＴＭ−０信号の処理の流れを説明する。この信号は、図２におけるライン４４が該当する。Ｃｒｏｓｓ−Ｃｏｎｎｅｃｔテーブル上では、図３の項番１３が該当する。
【０１１０】
まずは、図４の送信処理部５１の処理例を説明する。
【０１１１】
ＳＤＨ信号受信部６１で、受信したＳＴＭ−４信号２１は、ＳＤＨの処理を行い、スクランブルを外し、ＳＴＭ−０分割処理部６２に渡す。
【０１１２】
ＳＴＭ−０分割処理部６２で、ＳＴＭ−４信号２１をＳＴＭ−０の単位で、１２本に分割する。本例で説明するＴｉｍｅＳｌｏｔ１０のＳＴＭ−０信号は、分割するとき、ＳＴＭ−０分割処理部６２の接続インタフェース位置から、ＰｏｒｔＮｏ．＝２１と、信号から、ＣｏｎｃａｔｅｎａｔｉｏｎＳｉｚｅ＝ＳＴＭ−４と、ＴｉｍｅＳｌｏｔＮｏ．＝１０が抽出され、ＳｏｕｒｃｅＩＤ生成部６６に渡される。また、分割されたＴｉｍｅＳｌｏｔ１０のＳＴＭ−０信号は、ＭｕｌｔｉＦｒａｍｅＩｎｄｉｃａｔｏｒ生成部６３に渡す。
【０１１３】
ＳｏｕｒｃｅＩＤ生成部６６で、ＳＴＭ−０分割処理部６２から渡されたＰｏｒｔＮｏ．とＣｏｎｃａｔｅｎａｔｉｏｎＳｉｚｅとＴｉｍｅＳｌｏｔＮｏ．と、装置ＩＤとから、送信元ＩＤを、Ｓｏｕｒｃｅ装置ＩＤ＝１１、ＳｏｕｒｃｅＰｏｒｔＩＤ＝２１、ＳｏｕｒｃｅＣｏｎｃａｔｅｎａｔｉｏｎＳｉｚｅ＝４、ＳｏｕｒｃｅＳｅｑｕｅｎｃｅＩＤ＝１０を生成し、ＭｕｌｔｉＦｒａｍｅＩｎｄｉｃａｔｏｒ生成部６３に渡す。
【０１１４】
ＭｅｓｓａｇｅＦｉｅｌｄ処理部６７で、受信処理部５２から渡された受信信号の状態および制御情報と、自装置の状態とから、送信するＭｅｓｓａｇｅＦｉｅｌｄを生成し、ＭｕｌｔｉＦｒａｍｅＩｎｄｉｃａｔｏｒ生成部６３に渡す。今回はＩｎ−ＢａｎｄでのＣｒｏｓｓＣｏｎｎｅｃｔ変更や切替えを将来構想とし、ＭｅｓｓａｇｅＦｉｅｌｄの取り得る値に関しては言及しない。
【０１１５】
ＤｅｓｔｉｎａｔｉｏｎＩＤ生成部６８で、受信処理部５２から渡された受信信号の送信元ＩＤを、送信先ＩＤとしてＭｕｌｔｉＦｒａｍｅＩｎｄｉｃａｔｏｒ生成部６３と、ＤｅｓｔｉｎａｔｉｏｎＩＰアドレス生成部６９とに渡す。
【０１１６】
ＩＥＥＥ１５８８Ｔｉｍｅｒ部７０で、自装置の時刻情報を生成し、ＭｕｌｔｉＦｒａｍｅＩｎｄｉｃａｔｏｒ生成部６３と、Ｄｅｌａｙ制御部７１と、受信処理部５２とに渡す。
【０１１７】
ＭｕｌｔｉＦｒａｍｅＩｎｄｉｃａｔｏｒ生成部６３で、図７に示すＭＦＩ１とＭＦＩ２とのＭｕｌｔｉＦｒａｍｅを組み、ＳｏｕｒｃｅＩＤ生成部６６と、ＭｅｓｓａｇｅＦｉｅｌｄ処理部６７と、ＤｅｓｔｉｎａｔｉｏｎＩＤ生成部６８と、ＩＥＥＥ１５８８Ｔｉｍｅｒ部７０とから渡されたＭｕｌｔｉＦｒａｍｅの構成情報を追加し、ＳＴＭ−０分割処理部６２から渡されたＳＴＭ−０信号のＡ１、Ａ２バイト位置に挿入し、ＩＰカプセル化処理部６４に渡す。
【０１１８】
ＤｅｓｔｉｎａｔｉｏｎＩＰアドレス生成部６９で、ＤｅｓｔｉｎａｔｉｏｎＩＤ生成部６８から渡された送信先ＩＤとＤｅｓｔｉｎａｔｉｏｎＩＰアドレス生成部６９が備えているＩＰアドレステーブルとから、送信先ＩＰアドレスを生成し、ＩＰカプセル化処理部６４に渡す。今回は、ＤｉｇｉｔａｌＣｒｏｓｓ−Ｃｏｎｎｅｃｔ／Ｌ３−ＳＷ装置１４宛の固定設定とする。
【０１１９】
Ｄｅｌａｙ制御部７１で、受信処理部５２から渡された受信信号の送信元時刻と差分時刻と、ＩＥＥＥ１５８８Ｔｉｍｅｒ部７０から渡された自装置時刻情報とから、Ｅｔｈｅｒｎｅｔの伝送路の品質を測定し、優先制御値を設定し、ＩＰカプセル化処理部６４とＥｔｈｅｒｎｅｔ送信部６５とに渡す。今回は、Ｅｔｈｅｒｎｅｔの伝送路の品質測定を将来構想とし、優先制御は行わないこととする。
【０１２０】
ＩＰカプセル化処理部６４で、ＤｅｓｔｉｎａｔｉｏｎＩＰアドレス生成部６９とＤｅｌａｙ制御部７１とから渡されたＩＰヘッダ情報からＩＰヘッダを生成し、ＭｕｌｔｉＦｒａｍｅＩｎｄｉｃａｔｏｒ生成部６３から渡されたＳＴＭ−０信号をＩＰカプセリングし、Ｅｔｈｅｒｎｅｔ送信部６５に渡す。
【０１２１】
Ｅｔｈｅｒｎｅｔ送信部６５で、ＭＡＣヘッダを生成し、ＩＰカプセル化処理部６４から渡されたＩＰパケットと結合し、Ｅｔｈｅｒｎｅｔフレームを生成し、Ｅｔｈｅｒｎｅｔ網へ送信する。その際、Ｄｅｌａｙ制御部７１からの情報で、キュー制御が行われる。
【０１２２】
次に、図５のＣｒｏｓｓ−Ｃｏｎｎｅｃｔ処理部５３の処理例を説明する。
【０１２３】
Ｅｔｈｅｒｎｅｔ受信部８１で、Ｅｔｈｅｒｎｅｔフレームを受信し、ＭＡＣヘッダの処理を行い、ＩＰデカプセル化処理部８２に渡す。
【０１２４】
ＩＰデカプセル化処理部８２で、Ｅｔｈｅｒｎｅｔ受信部８１から渡されたＩＰパケットのＩＰヘッダの処理を行い、ＭｕｌｔｉＦｒａｍｅＩｎｄｉｃａｔｏｒ抽出部８３に渡す。
【０１２５】
ＭｕｌｔｉＦｒａｍｅＩｎｄｉｃａｔｏｒ抽出部８３で、ＩＰデカプセル化処理部８２から渡されたデータパケットのＡ１、Ａ２バイトを抽出し、ＴｉｍｅＳｔａｍｐ検出部８８と、ＳｏｕｒｃｅＩＤ／ＤｅｓｔｉｎａｔｉｏｎＩＤ抽出部９２と、ＭｅｓｓａｇｅＦｉｅｌｄ抽出部９３にＡ１、Ａ２バイトを渡す。また、ＩＰデカプセル化処理部８２から渡されたデータパケットをそのままＢｕｆｆｅｒ部８４に渡す。
【０１２６】
ＴｉｍｅＳｔａｍｐ検出部８８で、ＭｕｌｔｉＦｒａｍｅＩｎｄｉｃａｔｏｒ抽出部８３から抽出されたＡ１、Ａ２バイトを受け取り、送信処理部５１のＩＥＥＥ１５８８Ｔｉｍｅｒ部７０で生成された時刻情報を抽出し、ΔＴｉｍｅＳｔａｍｐ生成部９０に渡す。
【０１２７】
ＩＥＥＥ１５８８Ｔｉｍｅｒ部８９で、自装置の時刻情報を生成し、ΔＴｉｍｅＳｔａｍｐ生成部９０に渡す。
【０１２８】
ΔＴｉｍｅＳｔａｍｐ生成部９０で、ＴｉｍｅＳｔａｍｐ検出部８８から送信元の時刻情報を、ＩＥＥＥ１５８８Ｔｉｍｅｒ部８９から自装置の時刻情報をそれぞれ受け取り、その差を計算し、差分時刻情報としてΔＴｉｍｅＳｔａｍｐに挿入するため、ＭｕｌｔｉＦｒａｍｅＩｎｄｉｃａｔｏｒ挿入部８５とＤｅｌａｙ制御部９１とに渡す。
【０１２９】
Ｄｅｌａｙ制御部９１で、ΔＴｉｍｅＳｔａｍｐ生成部９０から渡された差分時刻情報から、Ｅｔｈｅｒｎｅｔの伝送路の品質を測定し、優先制御値を設定ＩＰカプセル化処理部８６とＥｔｈｅｒｎｅｔ送信部８７とに渡す。今回は、Ｅｔｈｅｒｎｅｔの伝送路の品質測定を将来構想とし、優先制御は行わないこととする。
【０１３０】
ＳｏｕｒｃｅＩＤ／ＤｅｓｔｉｎａｔｉｏｎＩＤ抽出部９２で、ＭｕｌｔｉＦｒａｍｅＩｎｄｉｃａｔｏｒ抽出部８３から抽出されたＡ１、Ａ２バイトを受け取り、送信処理部５１のＳｏｕｒｃｅＩＤ生成部６６で生成された送信元ＩＤと、ＤｅｓｔｉｎａｔｉｏｎＩＤ生成部６８で生成された送信先ＩＤとを抽出し、ＭｅｓｓａｇｅＦｉｅｌｄ処理部９４に渡す。
【０１３１】
ＭｅｓｓａｇｅＦｉｅｌｄ抽出部９３で、ＭｕｌｔｉＦｒａｍｅＩｎｄｉｃａｔｏｒ抽出部８３から抽出されたＡ１、Ａ２バイトを受け取り、送信処理部５１のＭｅｓｓａｇｅＦｉｅｌｄ処理部６７で生成された状態または制御情報を抽出し、ＭｅｓｓａｇｅＦｉｅｌｄ処理部９４に渡す。
【０１３２】
ＭｅｓｓａｇｅＦｅｉｌｄ処理部９４で、ＳｏｕｒｃｅＩＤ／ＤｅｓｔｉｎａｔｉｏｎＩＤ抽出部９２から送信元および送信先ＩＤを受け取り、ＭｅｓｓａｇｅＦｉｅｌｄ抽出部９３から状態および制御情報を受け取り、Ｃｒｏｓｓ−Ｃｏｎｎｅｃｔテーブルの変更の有無を検出し、Ｃｒｏｓｓ−Ｃｏｎｎｅｃｔテーブル管理部９５に渡し、変更情報を受け取る。また、送信する状態および制御情報を生成し、送信先ＩＤと変更情報とをＤｅｓｔｉｎａｔｉｏｎＩＤ生成部９６に、送信する状態および制御情報をＭｕｌｔｉＦｒａｍｅＩｎｄｉｃａｔｏｒ挿入部８５にそれぞれ渡す。
【０１３３】
今回はＩｎ−ＢａｎｄでのＣｒｏｓｓＣｏｎｎｅｃｔ変更や、切替えを将来構想とし、ＭｅｓｓａｇｅＦｉｅｌｄの取り得る値に関して言及しない。また、送信先ＩＤの変更情報にも言及しない。
【０１３４】
Ｃｒｏｓｓ−Ｃｏｎｎｅｃｔテーブル管理部９５で、ＭｅｓｓａｇｅＦｉｅｌｄ処理部９４から受け取ったＣｒｏｓｓ−Ｃｏｎｎｅｃｔテーブルの変更の有無情報を基に、必要に応じてＣｒｏｓｓ−Ｃｏｎｎｅｃｔテーブルを書き換えると共に、送信先ＩＤの変更情報をＭｅｓｓａｇｅＦｉｅｌｄ処理部９４に渡す。
【０１３５】
ＤｅｓｔｉｎａｔｉｏｎＩＤ生成部９６で、ＭｅｓｓａｇｅＦｉｅｌｄ処理部９４から渡された送信先ＩＤと変更情報とから、送信先ＩＤを生成し、ＤｅｓｔｉｎａｔｉｏｎＩＰアドレス生成部９７とＭｕｌｔｉＦｒａｍｅＩｎｄｉｃａｔｏｒ挿入部８５とに渡す。
【０１３６】
ＤｅｓｔｉｎａｔｉｏｎＩＰアドレス生成部９７で、ＤｅｓｔｉｎａｔｉｏｎＩＤ生成部９６から渡された送信先ＩＤとＤｅｓｔｉｎａｔｉｏｎＩＰアドレス生成部９７が備えているＩＰアドレステーブルとから、送信先ＩＰアドレスを生成し、ＩＰカプセル化処理部８６に渡す。
【０１３７】
Ｂｕｆｆｅｒ部８４で、ＭｕｌｔｉＦｒａｍｅＩｎｄｉｃａｔｏｒ抽出部８３から受け取ったデータパケットをバッファリングし、ＭｕｌｔｉＦｒａｍｅＩｎｄｉｃａｔｏｒ挿入部８５に渡す。
【０１３８】
ＭｕｌｔｉＦｒａｍｅＩｎｄｉｃａｔｏｒ挿入部８５で、ΔＴｉｍｅＳｔａｍｐ生成部９０から差分時刻情報を受け取り、ＤｅｓｔｉｎａｔｉｏｎＩＤ生成部９６から送信先ＩＤを受け取り、ＭｅｓｓａｇｅＦｉｅｌｄ処理部９４から状態および制御情報を受け取り、Ａ１、Ａ２バイトのＭｕｌｔｉＦｒａｍｅに挿入し、ＩＰカプセル化処理部８６に渡す。
【０１３９】
ＩＰカプセル化処理部８６で、ＤｅｓｔｉｎａｔｉｏｎＩＰアドレス生成部９７とＤｅｌａｙ制御部９１とから渡されたＩＰヘッダ情報からＩＰヘッダを生成し、ＭｕｌｔｉＦｒａｍｅＩｎｄｉｃａｔｏｒ挿入部８５から渡されたＳＴＭ−０信号をＩＰカプセリングし、Ｅｔｈｅｒｎｅｔ送信部８７に渡す。
【０１４０】
Ｅｔｈｅｒｎｅｔ送信部８７で、ＭＡＣヘッダを生成し、ＩＰカプセル化処理部８６から渡されたＩＰパケットと結合し、Ｅｔｈｅｒｎｅｔフレームを生成し、Ｅｔｈｅｒｎｅｔ網へ送信する。その際、Ｄｅｌａｙ制御部９１からの情報で、キュー制御が行われる。
【０１４１】
次に、図６の受信処理部５２の処理例を説明する。
【０１４２】
Ｅｔｈｅｒｎｅｔ受信部１０１で、Ｅｔｈｅｒｎｅｔフレームを受信し、ＭＡＣヘッダの処理を行い、ＩＰデカプセル化処理部１０２に渡す。
【０１４３】
ＩＰデカプセル化処理部１０２で、Ｅｔｈｅｒｎｅｔ受信部１０１から渡されたＩＰパケットのＩＰヘッダの処理を行い、ＭｕｌｔｉＦｒａｍｅＩｎｄｉｃａｔｏｒ終端部１０３に渡す。
【０１４４】
ＭｕｌｔｉＦｒａｍｅＩｎｄｉｃａｔｏｒ終端部１０３で、ＩＰデカプセル化処理部１０２から渡されたデータパケットのＡ１、Ａ２バイトを抽出し、ＴｉｍｅＳｔａｍｐ・ΔＴｉｍｅＳｔａｍｐ検出部１０６と、ＳｏｕｒｃｅＩＤ抽出部１０８と、ＭｅｓｓａｇｅＦｉｅｌｄ抽出部１０９にＡ１、Ａ２バイトを渡す。
【０１４５】
また、ＩＰデカプセル化処理部１０２から渡されたデータパケットのＡ１、Ａ２バイト位置に、ＳＤＨのＦｒａｍｉｎｇＰａｔｔｅｒｎを挿入（具体的にはＡ１バイトには１６進数でＦ６を、Ａ２バイトには１６進数で２８を挿入）し、送信先ＰｏｒｔＩＤに該当したＳＴＭ−Ｎ信号整形部１０４に渡す。
【０１４６】
ＳｏｕｒｃｅＩＤ抽出部１０８で、ＭｕｌｔｉＦｒａｍｅＩｎｄｉｃａｔｏｒ終端部１０３から抽出されたＡ１、Ａ２バイトを受け取り、遠隔の送信処理部５１のＳｏｕｒｃｅＩＤ生成部６６で生成された送信元ＩＤと、ＤｅｓｔｉｎａｔｉｏｎＩＤ生成部６８で生成された送信先ＩＤとを抽出し、送信処理部５１のＤｅｓｔｉｎａｔｉｏｎＩＤ生成部６８に渡す。
【０１４７】
ＴｉｍｅＳｔａｍｐ・ΔＴｉｍｅＳｔａｍｐ検出部１０６で、ＭｕｌｔｉＦｒａｍｅＩｎｄｉｃａｔｏｒ終端部１０３から抽出されたＡ１、Ａ２バイトを受け取り、遠隔の送信処理部５１のＩＥＥＥ１５８８Ｔｉｍｅｒ部７０で生成された送信元時刻情報とＣｒｏｓｓ−Ｃｏｎｎｅｃｔ処理部５３のΔＴｉｍｅＳｔａｍｐ生成部９０で生成された差分時刻情報とを抽出し、送信処理部５１のＤｅｌａｙ制御部７１とＦｒａｍｅＡｌｉｇｎｍｅｎｔ制御部１０７とに渡す。
【０１４８】
ＦｒａｍｅＡｌｉｇｎｍｅｎｔ制御部１０７で、ＴｉｍｅＳｔａｍｐ・ΔＴｉｍｅＳｔａｍｐ検出部１０６から受け取った送信元時刻情報と差分時刻情報と、送信処理部５１のＩＥＥＥ１５８８Ｔｉｍｅｒ部７０から受け取った自装置の時刻情報とから、ＦｒａｍｅＡｌｉｇｎｍｅｎｔを行うグループの整形指示をＳＴＭ−Ｎ信号整形部１０４に渡す。
【０１４９】
ＳＴＭ−Ｎ信号整形部１０４で、ＭｕｌｔｉＦｒａｍｅＩｎｄｉｃａｔｏｒ終端部１０３から受け取ったＳＴＭ−０の信号を、ＦｒａｍｅＡｌｉｇｎｍｅｎｔ制御部１０７からの情報に従い、ＳＴＭ−Ｎ（Ｎ＝０、１、４）信号として整形を行い、送信先ＰｏｒｔＩＤに該当するＳＤＨ信号送信部１０５に渡す。
【０１５０】
ＳＤＨ信号送信部１０５で、ＳＴＭ−Ｎ信号整形部１０４から受け取ったＳＴＭ−Ｎ（Ｎ＝０、１、４）信号を、ＳＤＨ信号として正しくなるように、再度、オーバヘッドバイトの再計算を行い、スクランブルを掛け直してから、同期網へＳＤＨ信号として送信する。
【０１５１】
（他の実施例）
他の実施例として、その基本的構成は上記のとおりであるが、ＭｕｌｔｉＦｒａｍｅを構成する情報が実装される位置については、Ａ１、Ａ２バイト以外のオーバヘッドバイト、例えば、Ｂ１、Ｂ２バイトのように位置を変えることも可能である。また、ＳＤＨフレームの外にＭｕｌｔｉＦｒａｍｅ専用バイトを設けることも可能である。さらに、ＩＰヘッダ内のＯｐｔｉｏｎ領域を使用して実現することもできる。
【０１５２】
（プログラムの実施例）
汎用の情報処理装置にインストールすることにより、その汎用の情報処理装置に、本実施例のＳＤＨ／ＩＰ装置およびクロスコネクト装置の機能に相応する機能を実現させるプログラムの実施例を説明する。
【０１５３】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【０１５４】
これにより、汎用の情報処理装置を用いて、本実施例のＳＤＨ／ＩＰ装置およびクロスコネクト装置の機能に相応する機能を実現することができる。
【０１５５】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【産業上の利用可能性】
【０１５６】
本発明は、Ｅｔｈｅｒｎｅｔ網上でのＳＤＨ信号のＤｉｇｉｔａｌＣｒｏｓｓ−Ｃｏｎｎｅｃｔに利用することができる。これにより、非同期網でありながら、同期網と同等の伝送が可能となる。
【図面の簡単な説明】
【０１５７】
【図１】本発明が適用されるネットワークシステムの概略モデルを示す図。
【図２】本発明でのＣｒｏｓｓ−Ｃｏｎｎｅｃｔの論理接続を説明するための図。
【図３】本実施例のＣｒｏｓｓ−Ｃｏｎｎｅｃｔテーブルの構成例を示す図。
【図４】本実施例のＳＤＨ／ＩＰ装置の送信処理部のブロック構成図。
【図５】本実施例のＤｉｇｉｔａｌＣｒｏｓｓ−Ｃｏｎｎｅｃｔ／Ｌ３−ＳＷ装置のＣｒｏｓｓ−Ｃｏｎｎｅｃｔ処理部のブロック構成図。
【図６】本実施例のＳＤＨ／ＩＰ装置の受信処理部のブロック構成図。
【図７】本実施例のＡ１、Ａ２バイトを用いたＭｕｌｔｉＦｒａｍｅの構成図。
【図８】本実施例のＳＴＭ−０信号が挿入されたＥｔｈｅｒｎｅｔフレームの構成図。
【符号の説明】
【０１５８】
１  Ｅｔｈｅｒｎｅｔ網
２  同期網
１１〜１３  ＳＤＨ／ＩＰ装置
１４  ＤｉｇｉｔａｌＣｒｏｓｓ−Ｃｏｎｎｅｃｔ／Ｌ３−ＳＷ装置
２１、２４  ＳＴＭ−４
２２、２３、３１〜３８  ＳＴＭ−１
４１〜４５  ライン
５１  送信処理部
５２  受信処理部
５３  Ｃｒｏｓｓ−Ｃｏｎｎｅｃｔ処理部
６１  ＳＤＨ信号受信部
６２  ＳＴＭ−０分割処理部
６３  ＭｕｌｔｉＦｒａｍｅＩｎｄｉｃａｔｏｒ生成部
６４  ＩＰカプセル化処理部
６５  Ｅｔｈｅｒｎｅｔ送信部
６６  ＳｏｕｒｃｅＩＤ生成部
６７  ＭｅｓｓａｇｅＦｉｅｌｄ処理部
６８  ＤｅｓｔｉｎａｔｉｏｎＩＤ生成部
６９  ＤｅｓｔｉｎａｔｉｏｎＩＰアドレス生成部
７０  ＩＥＥＥ１５８８Ｔｉｍｅｒ部
７１  Ｄｅｌａｙ制御部
８１  Ｅｔｈｅｒｎｅｔ受信部
８２  ＩＰデカプセル化処理部
８３  ＭｕｌｔｉＦｒａｍｅＩｎｄｉｃａｔｏｒ抽出部
８４  Ｂｕｆｆｅｒ部
８５  ＭｕｌｔｉＦｒａｍｅＩｎｄｉｃａｔｏｒ挿入部
８６  ＩＰカプセル化処理部
８７  Ｅｔｈｅｒｎｅｔ送信部
８８  ＴｉｍｅＳｔａｍｐ検出部
８９  ＩＥＥＥ１５８８Ｔｉｍｅｒ部
９０  ΔＴｉｍｅＳｔａｍｐ生成部
９１  Ｄｅｌａｙ制御部
９２  ＳｏｕｒｃｅＩＤ／ＤｅｓｔｉｎａｔｉｏｎＩＤ抽出部
９３  ＭｅｓｓａｇｅＦｉｅｌｄ抽出部
９４  ＭｅｓｓａｇｅＦｉｅｌｄ処理部
９５  Ｃｒｏｓｓ−Ｃｏｎｎｅｃｔテーブル管理部
９６  ＤｅｓｔｉｎａｔｉｏｎＩＤ生成部
９７  ＤｅｓｔｉｎａｔｉｏｎＩＰアドレス生成部
１０１  Ｅｔｈｅｒｎｅｔ受信部
１０２  ＩＰデカプセル化処理部
１０３  ＭｕｌｔｉＦｒａｍｅＩｎｄｉｃａｔｏｒ終端部
１０４  ＳＴＭ−Ｎ信号整形部
１０５  ＳＤＨ信号送信部
１０６  ＴｉｍｅＳｔａｍｐ・ΔＴｉｍｅＳｔａｍｐ検出部
１０７  ＦｒａｍｅＡｌｉｇｎｍｅｎｔ制御部
１０８  ＳｏｕｒｃｅＩＤ抽出部
１０９  ＭｅｓｓａｇｅＦｉｅｌｄ抽出部
【図１】
2008271206.tif 000003
【図２】
2008271206.tif 000004
【図３】
2008271206.tif 000005
【図４】
2008271206.tif 000006
【図５】
2008271206.tif 000007
【図６】
2008271206.tif 000008
【図７】
2008271206.tif 000009
【図８】
2008271206.tif 000010